(57)【特許請求の範囲】
【請求項１】
携帯電話交換システムが、ユーザーのプリペイド型携帯電話から送られてきたダイアル番号を分析し、通話度数の登録、又は、更新時に行われるプリペイド接続用ダイアルへのアクセスを受けたとき、プリペイド接続用ダイアルに接続し、前記通話度数の登録，又は、更新に関するガイダンスを前記プリペイド型携帯電話に送信する第１のステップと、前記プリペイド型携帯電話からの前記通話度数の登録，又は、更新の情報を含む通話度数購入用情報を受信し、信用販売の認証を行なうクレジット会社などの信用販売認証手段に、前記通話度数の更新に関する前記通話度数購入用情報の認証を行なわせ、前記信用販売認証手段を介して銀行など提携金融機関における前記ユーザーの取引口座から購入金額を引落とす手続きを行なわせ、前記購入金額の引落しに基づき、携帯電話交換システムの通話度数登録テーブルにおける前記プリペイド型携帯電話の通話度数情報の更新を行なう第２のステップとを備え、
該第２のステップにおいて、前記通話度数登録テーブルに設定された最大の通話度数情報に基づき、前記プリペイド型携帯電話通話度数の追加制限を行ない、
前記第１のステップは、前記携帯電話交換システムが、前記通話度数の登録に関するプリペイドカード番号の登録など番号登録アナウンスと前記通話度数の更新に関するクレジットカードなど信用販売認証を利用する通話度数購入用アナウンスとの中からどちらか一方の選択を促す第１のガイダンスを送信するステップと、前記第１のガイダンスの中から前記ユーザーによる前記通話度数購入用アナウンスの選択を前記プリペイド型携帯電話から受信したとき、クレジットカード番号や暗証番号など信用販売認証情報と購入希望の通話度数分の金額とを含む前記通話度数購入用情報の入力を促す第２のガイダンスを前記プリペイド型携帯電話に送信するステップとを含み、
前記第２のステップは、前記携帯電話交換システムが前記通話度数購入用情報を受信したとき、前記通話度数登録テーブルに記憶された前記プリペイド型携帯電話が有する通話可能な通話度数情報の値と受信した購入希望の通話度数分の値との加算値と、各々プリペイド型携帯電話毎に予め前記通話度数登録テーブルに設定された最大の通話度数情報の値とを比較し、前記加算値が最大の通話度数の値以下である場合、前記信用販売認証手段に通話度数購入用情報を転送し、前記信用販売認証情報の認証を行なわせるステップと、前記加算値が最大の通話度数の値を超えた場合、前記プリペイド型携帯電話に対して、希望する購入金額に対応する通話度数が最大通話度数を超えているということを通知し、前記ユーザーに購入金額の再入力を促すステップとを含み、
前記第２のステップは、前記携帯電話交換システムが、前記信用販売認証情報の認証に基づく前記提携金融機関での前記取引口座から購入金額を引落とす手続きが行われた情報を受信し、前記プリペイド型携帯電話の通話度数情報の更新を行った後、前記プリペイド型携帯電話に対して通話度数の更新を通知する第３のガイダンスを送信して前記ユーザーに通話の終了を促すステップを含み、
前記第１のステップは、前記ユーザーが前記プリペイドカード番号の登録などにより新規に前記通話度数の登録をする場合、前記携帯電話交換システムが、プリペイドカード番号、又は、前記信用販売認証手段から予め与えられた登録番号の入力を促す番号登録アナウンスをプリペイド型携帯電話に対して送信するステップを含み、
前記ユーザーは、インターネットなどネットワークに接続された端末から、前記ネットワークを介して、前記通話度数登録テーブルに設定された最大の通話度数情報の更新ができ、
前記第１のステップは、前記通話度数登録テーブルにおいて、インターネットなどのネットワークを介して前記ユーザーから通話不可の登録がされている場合、前記携帯電話交換システムは、前記プリペイド型携帯電話からの一般通話であるダイアル番号を受信したとき通話を不可とするステップを含む
ことを特徴とするプリペイド型携帯電話の通話度数登録・更新方法。
【請求項２】
請求項１に記載のプリペイド型携帯電話の通話度数登録・更新方法を利用したプリペイド型携帯電話の課金方法。
【請求項３】
請求項１に記載のプリペイド型携帯電話の通話度数登録・更新方法を実行可能なプログラムが記録された記憶媒体。
【発明の詳細な説明】
【０００１】
【発明の属する技術分野】
本発明はプリペイド型携帯電話に関し、特に通話度数が更新されるプリペイド型携帯電話の通話度数登録・更新方法に属する。
【０００２】
【従来の技術】
従来、プリペイド型携帯電話において、ユーザーは、その都度プリペイドカードを購入してそのカード番号を登録する事により購入金額分の通話度数を利用することが行われている。
【０００３】
特開平６−１２１０７５号公報において、移動通信方式に関して、携帯端末にプリペイドカードと同様の機能を持たせる技術が記載されている。これは一般電話網にプリペイドセンタと銀行の預金システムとプリペイドカードの制御装置を有する無線基地局とを接続し、携帯端末からプリペイドセンタあるいは銀行の預金システムにアクセスしてプリペイドセンタに送金し、プリペイドカードの制御装置を有する無線基地局にアクセスして支払い処理を行なうものである。
【０００４】
また、特開平７−２３１３６７号公報において、加入者端末でのクレジットカードの読取りを不要にすると共に、加入者登録要求をオンラインで処理して即時に使用可能とする技術が公開されている。これは、データ伝送網を介してレンタル会社や量販店に設置しているユーザー端末を接続し、ネットワーク手段には、クレジット課金サービス管理手段と、クレジット課金処理手段が設けられ、クレジット課金サービス管理手段は、ユーザー端末からクレジット課金サービスの加入者登録要求を受けた際に、無線移動端末の加入者番号とペアにクレジットカード会員番号をデータベースに登録し、クレジット課金処理手段は、登録済み無線移動端末からの呼設定要求に対し、加入者番号によりデータベースのクレジットカード会員番号を検索してクレジット引落し情報を作成する技術である。
【０００５】
【発明が解決しようとする課題】
しかしながら、従来技術には以下に掲げる問題点があった。
【０００６】
通話度数を使い切った場合、予めユーザーが予備のプリペイドカードを持っているか、近くのプリペイドカード販売店で購入することができれば、再度新たなプリペイドカードで通話度数を登録して通話可能な状態になるが、すぐにプリペイドカードを入手できなければ通話ができなくなってしまう。
【０００７】
また、従来技術による通話への課金方法では、金融機関における与信限度まで携帯電話の利用が行われてしまう可能性があるという問題点があった。
【０００８】
本発明は斯かる問題点を鑑みてなされたものであり、その目的とするところは、クレジットカードなどを利用してプリペイド型携帯電話の通話度数を購入することで、いつでも、どこからでも通話度数を購入でき、また、購入時に通話度数の追加制限チェックを行なうことで不正利用を防止できるプリペイド型携帯電話の通話度数登録・更新方法に関する技術を提供する点にある。
【０００９】
【課題を解決するための手段】
請求項１記載の本発明の要旨は、携帯電話交換システムが、ユーザーのプリペイド型携帯電話から送られてきたダイアル番号を分析し、通話度数の登録、又は、更新時に行われるプリペイド接続用ダイアルへのアクセスを受けたとき、プリペイド接続用ダイアルに接続し、前記通話度数の登録，又は、更新に関するガイダンスを前記プリペイド型携帯電話に送信する第１のステップと、前記プリペイド型携帯電話からの前記通話度数の登録，又は、更新の情報を含む通話度数購入用情報を受信し、信用販売の認証を行なうクレジット会社などの信用販売認証手段に、前記通話度数の更新に関する前記通話度数購入用情報の認証を行なわせ、前記信用販売認証手段を介して銀行など提携金融機関における前記ユーザーの取引口座から購入金額を引落とす手続きを行なわせ、前記購入金額の引落しに基づき、携帯電話交換システムの通話度数登録テーブルにおける前記プリペイド型携帯電話の通話度数情報の更新を行なう第２のステップとを備え、該第２のステップにおいて、前記通話度数登録テーブルに設定された最大の通話度数情報に基づき、前記プリペイド型携帯電話通話度数の追加制限を行ない、前記第１のステップは、前記携帯電話交換システムが、前記通話度数の登録に関するプリペイドカード番号の登録など番号登録アナウンスと前記通話度数の更新に関するクレジットカードなど信用販売認証を利用する通話度数購入用アナウンスとの中からどちらか一方の選択を促す第１のガイダンスを送信するステップと、前記第１のガイダンスの中から前記ユーザーによる前記通話度数購入用アナウンスの選択を前記プリペイド型携帯電話から受信したとき、クレジットカード番号や暗証番号など信用販売認証情報と購入希望の通話度数分の金額とを含む前記通話度数購入用情報の入力を促す第２のガイダンスを前記プリペイド型携帯電話に送信するステップとを含み、前記第２のステップは、前記携帯電話交換システムが前記通話度数購入用情報を受信したとき、前記通話度数登録テーブルに記憶された前記プリペイド型携帯電話が有する通話可能な通話度数情報の値と受信した購入希望の通話度数分の値との加算値と、各々プリペイド型携帯電話毎に予め前記通話度数登録テーブルに設定された最大の通話度数情報の値とを比較し、前記加算値が最大の通話度数の値以下である場合、前記信用販売認証手段に通話度数購入用情報を転送し、前記信用販売認証情報の認証を行なわせるステップと、前記加算値が最大の通話度数の値を超えた場合、前記プリペイド型携帯電話に対して、希望する購入金額に対応する通話度数が最大通話度数を超えているということを通知し、前記ユーザーに購入金額の再入力を促すステップとを含み、前記第２のステップは、前記携帯電話交換システムが、前記信用販売認証情報の認証に基づく前記提携金融機関での前記取引口座から購入金額を引落とす手続きが行われた情報を受信し、前記プリペイド型携帯電話の通話度数情報の更新を行った後、前記プリペイド型携帯電話に対して通話度数の更新を通知する第３のガイダンスを送信して前記ユーザーに通話の終了を促すステップを含み、前記第１のステップは、前記ユーザーが前記プリペイドカード番号の登録などにより新規に前記通話度数の登録をする場合、前記携帯電話交換システムが、プリペイドカード番号、又は、前記信用販売認証手段から予め与えられた登録番号の入力を促す番号登録アナウンスをプリペイド型携帯電話に対して送信するステップを含み、前記ユーザーは、インターネットなどネットワークに接続された端末から、前記ネットワークを介して、前記通話度数登録テーブルに設定された最大の通話度数情報の更新ができ、前記第１のステップは、前記通話度数登録テーブルにおいて、インターネットなどのネットワークを介して前記ユーザーから通話不可の登録がされている場合、前記携帯電話交換システムは、前記プリペイド型携帯電話からの一般通話であるダイアル番号を受信したとき通話を不可とするステップを含むことを特徴とするプリペイド型携帯電話の通話度数登録・更新方法に存する。
請求項２記載の本発明の要旨は、請求項１に記載のプリペイド型携帯電話の通話度数登録・更新方法を利用したプリペイド型携帯電話の課金方法に存する。
請求項３記載の本発明の要旨は、請求項１に記載のプリペイド型携帯電話の通話度数登録・更新方法を実行可能なプログラムが記録された記憶媒体に存する。
【００１０】
【発明の実施の形態】
以下、本発明の実施の形態を図面に基づいて詳細に説明する。
【００１１】
図１は、本実施の形態に係るプリペイド型携帯電話の通話度数登録・更新方法の概略構成を示す図である。
【００１２】
図１に示すように、本実施の形態に係るプリペイド型携帯電話の通話度数登録・更新方法を実施する構成は、プリペイド型携帯電話１０と携帯電話交換システム２０とカード情報認証システム３０とカード指定金融機関４０とから概略構成され、携帯電話交換システム２０は、各々プリペイド型携帯電話１０の最大の通話度数情報や利用可能な通話度数情報を記憶する通話度数登録テーブル２５を有する。
【００１３】
プリペイド型携帯電話１０は、従来技術におけるプリペイド型の機能を有する携帯電話端末である。
【００１４】
携帯電話交換システム２０は、プリペイド型携帯電話１０から発信される情報を認識することができ、発信された情報がダイアル番号であれば、そのアクセス先に接続する機能を有している。また、発信された情報がプリペイド型携帯電話１０の通話度数購入の情報であれば、その通話度数購入情報を信用販売の認証を行なうカード情報認証システム（信用販売認証手段）３０に受渡しを行なう機能を有している。
【００１５】
カード情報認証システム３０は、携帯電話交換システム２０から送られてきたプリペイド型携帯電話１０の通話度数購入の情報を認証するクレジット会社などのシステムであり、認証が正常に行われた場合には、銀行などカード指定金融機関（提携金融機関）４０に対してユーザーが指定した通話度数分の金額を引落とす手続きを行なう事ができる機能を有する。このカード情報認証システム３０とカード指定金融機関４０との間の機能構成は従来技術と同様である。
【００１６】
以上のように、ユーザーはプリペイド型携帯電話１０からプリペイドカードなどの使用時（プリペイド型携帯電話の通話度数の登録、又は、更新時）にアクセスする番号（プリペイド接続用ダイアル）に接続する。その際に流れるガイダンスに従ってプリペイド型携帯電話１０から購入を希望する通話度数分の金額及び信用販売認証情報を入力すると、携帯電話交換システム２０を介してカード情報認証システム３０に通話度数分の金額及び信用販売認証情報を送信する。
【００１７】
これらの情報を受け取ったカード情報認証システム３０は、購入希望金額と信用販売認証情報の認証を行った結果、正常に認証されるとカード指定金融機関４０から通話度数分の金額を引落とす手続きを行なうと共に、携帯電話交換システム２０に通話度数分の金額が認証された事を報告し、携帯電話交換システム２０にてユーザーが使用するプリペイド型携帯電話１０の通話度数情報を更新する。
【００１８】
図２は、本実施の形態に係るプリペイド型携帯電話の通話度数登録・更新方法における動作の流れを示す図である。
【００１９】
図１及び２を参照して本実施の形態に係るプリペイド型携帯電話の通話度数登録・更新方法の動作について詳細に説明する。
【００２０】
ユーザーは、自分のプリペイド型携帯電話１０からプリペイド接続用ダイアルにアクセスする。（ステップＡ１）。
【００２１】
携帯電話交換システム２０は、プリペイド型携帯電話１０から送られてきたダイアル番号を分析し、プリペイド接続用ダイアルに接続する事により、ユーザーにガイダンスを流す（ステップＡ２）。
【００２２】
先ず、第１のガイダンスはプリペイドカードが有する登録番号を入力する番号登録アナウンスとクレジットカードによる通話度数購入用アナウンスとを含む。ユーザーは番号登録アナウンス及びクレジットカードなど信用販売認証を利用できる通話度数購入用アナウンスから任意の選択ができる。
【００２３】
第１のガイダンスを聞いたユーザーが、クレジットカードによる通話度数購入用アナウンスを選択した場合、携帯電話交換システム２０はクレジットカード番号と暗証番号と購入希望の通話度数分の金額とをプリペイド型携帯電話１０から入力するように促す第２のガイダンスを送信する。ユーザーは第２のガイダンスに従いプリペイド型携帯電話１０から、通話度数購入用情報を購入する通話度数分の金額と信用販売認証情報（クレジットカード番号と暗証番号）とを送信する（ステップＡ３）。
【００２４】
ユーザーからの通話度数購入用情報（購入する通話度数分の金額と信用販売認証情報）を受信した携帯電話交換システム２０は、該当プリペイド型携帯電話１０の保有している通話度数情報の値とユーザーによる購入希望の通話度数分の値との加算値と、予め携帯電話交換システム２０に設定された最大の通話度数情報の値とを比較し、加算値が最大の通話度数の値以下である場合、カード情報認証システム３０に通話度数購入用情報を転送する（購入金額と信用販売認証情報を転送）（ステップＡ４）。加算値が最大の通話度数の値を超えた場合、プリペイド型携帯電話１０に対して、希望する購入金額に基づく通話度数が最大通話度数を超えているということを通知し、再入力を促す（図示せず）。
【００２５】
カード情報認証システム３０は、信用販売認証情報を含む通話度数購入用情報を受信（購入する通話度数分の金額と信用販売認証情報を受信）し（ステップＡ５）、クレジットカード番号と暗証番号とに基づくクレジットカード認証を行ない、また、希望する購入金額の認証（購入を希望する金額と信用販売認証情報の認証）を行なう（ステップＡ６）。
【００２６】
カード情報認証システム３０は、認証が正常に行なわれると、カード指定金融機関４０から購入金額を引落とす手続きを行ない（ステップＡ７）、正常に認証された事を携帯電話交換システム２０に報告する（ステップＡ８）。
【００２７】
携帯電話交換システム２０は、カード情報認証システム３０から正常に認証された事の報告を受信すると、該当プリペイド型携帯電話１０の通話度数情報を更新する（ステップＡ９）。各々プリペイド型携帯電話１０の最大の通話度数情報を含む通話度数情報は携帯電話交換システム２０の通話度数登録テーブル２５にて管理されている。
【００２８】
該当プリペイド型携帯電話１０の通話度数情報を更新した後、プリペイド型携帯電話１０に対して通話度数が更新された事をガイダンス（第３のガイダンス）にて通知し、ユーザーに通話を終了する様に促す（ステップＡ１０）。
【００２９】
ユーザーは、このガイダンスを聞いた後、プリペイド型携帯電話１０での通話を切断する（ステップＡ１１）。
【００３０】
この切断を認識した携帯電話交換システム２０は、通話状態を終了させ、ガイダンス（第３のガイダンス）を終了する（ステップＡ１２）。
【００３１】
実施の形態に係るプリペイド型携帯電話の通話度数登録・更新方法は上記の如く構成されているので、以下に掲げる効果を奏する。
【００３２】
ユーザーがいつでも、どこででもプリペイド型携帯電話１０の通話度数の購入ができ、プリペイドカードの販売を扱っている店舗が近くにない場合や、販売店舗があったとしても２４時間営業でない場合にも、クレジットカードを利用して通話度数の購入ができる。
【００３３】
また、クレジットカードを使用して通話度数を購入することで、使用者の特定が容易にできるため、プリペイド型携帯電話１０が悪用される可能性が少なくなる。
【００３４】
なお、ユーザーからインターネットなどのネットワーク（図示せず）を介して、携帯電話交換システム２０の通話度数登録テーブル２５における最大の通話度数情報の登録更新や一般通話を不可とする登録ができるような構成も容易にできる。
【００３５】
また、本実施の形態においては、本発明はそれに限定されず、本発明を適用する上で好適なプリペイド型携帯電話の通話度数登録・更新方法に適用することができる。
【００３６】
また、上記構成部材の数、位置、形状等は上記実施の形態に限定されず、本発明を実施する上で好適な数、位置、形状等にすることができる。
【００３７】
なお、各図において、同一構成要素には同一符号を付している。
【００３８】
【発明の効果】
本発明は以上のように構成されているので、以下に掲げる効果を奏する。
【００３９】
第１の効果は、ユーザーがいつでも、どこででもプリペイド型携帯電話の通話度数の購入ができることで、従来型のプリペイドカードの販売を扱っている店舗が近くにない場合や、販売店舗があったとしても２４時間営業でない場合にも、クレジットカードを利用した通話度数の購入ができる。
【００４０】
第２の効果は、クレジットカードを使用して通話度数を購入することにより、使用者の特定が容易にでき、また、携帯電話交換システムにおいて、通話時に通話度数の回数制限チェックを行なうためプリペイド型携帯電話の悪用を防ぎやすくなる。
【図面の簡単な説明】
【図１】本発明の実施の形態に係るプリペイド型携帯電話の通話度数登録・更新方法の概略構成を示す図である。
【図２】本発明の実施の形態に係るプリペイド型携帯電話の通話度数登録・更新方法における動作の流れを示す図である。
【符号の説明】
１０  プリペイド型携帯電話
２０  携帯電話交換システム
２５  通話度数登録テーブル
３０  カード情報認証システム（信用販売認証手段）
４０  カード指定金融機関（提携金融機関）
【図１】
0003821668.tif 000002
【図２】
0003821668.tif 000003